(57)【特許請求の範囲】
【請求項１】
２種以上の這い性菊の苗又は種子であって、第１の這い性菊の開花時期と第２の這い性菊の開花時期とに、少なくとも１週間以上の差があるとともに、開花の重複時期がそれぞれゼロ又は１ヶ月以内であり、かつ第１の這い性菊の苗又は種子と第２の這い性菊の苗又は種子とが隣接して保持され、
前記２種以上の這い性菊の苗又は種子から延びる複数本の茎の高さが段階的に異なるように処理され、高さの高いものから低いものへ順次開花時期が遅くなるように設定されることを特徴とする這い性菊の鉢物。
【発明の詳細な説明】
【技術分野】
【０００１】
本発明は、這い性菊の鉢物に関する。
【背景技術】
【０００２】
開花時期の異なる草花を植栽する植栽方法が特許文献１で開示されている。
【先行技術文献】
【特許文献】
【０００３】
【特許文献１】特開平８−３３１９７４号公報
【発明の概要】
【発明が解決しようとする課題】
【０００４】
しかし、かかる植栽方法は、種類の異なる草花の開花時期をずらすため、ある種の草花から他の種の草花へ開花の最盛期が推移する際に全体として一体感が損なわれて観賞性が低下する。ところで、「菊」は一般的によく知られている日本的な美しい花であり、切花等も含めた需要は大きい。しかし、観賞用の鉢物やガーデニング等の植栽においては、秋等の短い期間だけ花を咲かせ、残りの期間は葉の状態であり、観賞用の花として比較的長期間花を咲かせる他の花（例えばパンジー等）に比べてやや不利な面がある。一般に「菊」は直立の茎が上方へのび枝分かれした部分に花をつける。このような直立の菊は１本１本が短い期間の観賞にはたえるが、２ヶ月、３ヶ月といった長期間の観賞は通常は無理である。
【０００５】
本発明の課題は、「菊」という花の観賞性を鉢物により高めることにあり、そこで着目したのが枝が横にのびる這い性菊である。
【課題を解決するための手段および発明の効果】
【０００６】
すなわち、本発明の這い性菊の鉢物は、
２種以上の這い性菊の苗又は種子であって、第１の這い性菊の開花時期と第２の這い性菊の開花時期とに、少なくとも１週間以上の差があるとともに、開花の重複時期がそれぞれゼロ又は１ヶ月以内であり、かつ第１の這い性菊の苗又は種子と第２の這い性菊の苗又は種子とが隣接して保持され、
２種以上の這い性菊の苗又は種子から延びる複数本の茎の高さが段階的に異なるように処理され、高さの高いものから低いものへ順次開花時期が遅くなるように設定されることを特徴とする。
【０００７】
また、本発明に関連する這い性菊の鉢物は、
３種以上の這い性菊の苗又は種子であって、第１の這い性菊の開花時期と第２の這い性菊の開花時期と第３の這い性菊の開花時期とに、少なくとも１週間以上の差があるとともに、開花の重複時期がそれぞれゼロ又は１ヶ月以内であり、かつ第１の這い性菊の苗又は種子と第２の這い性菊の苗又は種子と第３の這い性菊の苗又は種子とが隣接して保持されたことが想定される。
【０００８】
本発明に関連する這い性菊の植栽方法は、
２種以上の這い性菊の苗又は種子であって、第１の這い性菊の開花時期と第２の這い性菊の開花時期とに、少なくとも１週間以上の差があるとともに、開花の重複時期がそれぞれゼロ又は１ヶ月以内であり、かつ第１の這い性菊の苗又は種子と第２の這い性菊の苗又は種子とが土壌に対し互いに隣接して保持されることが想定される。
【０００９】
また、本発明に関連する這い性菊の植栽方法は、
３種以上の這い性菊の苗又は種子であって、第１の這い性菊の開花時期と第２の這い性菊の開花時期と第３の這い性菊の開花時期とに、少なくとも１週間以上の差があるとともに、開花の重複時期がそれぞれゼロ又は１ヶ月以内であり、かつ第１の這い性菊の苗又は種子と第２の這い性菊の苗又は種子と第３の這い性菊の苗又は種子とが土壌に対し互いに隣接して保持されることが想定される。
【００１０】
本発明によれば、這い性菊だから咲いた部分が横に面状に広がり、咲いていない部分を目立たなくして、あたかも全体が咲いているような印象を与える。そして、菊は短期間に花が咲き、それ以外の期間は葉の状態であるため、例えばパンジーのように長期間観賞できる花に比べて、鉢物やガーデニングの需要が今ひとつであったが、面状に広がる這い性菊だからこそ部分的に咲いていてもあたかも全体が咲いているような印象が生じる。そのため、本発明により長期的に観賞でき、菊の常識を一変した商品や庭園を提供できる。具体的には、２種以上の苗又は種子の開花時期が少なくとも１週間以上の差があるとともに、開花の重複時期がゼロ又は１ヶ月以内であるため、全体として開花時期を長期間維持できる。また、２種以上の這い性菊の苗又は種子を隣接して保持するので、ある苗（又は種子から成長した苗）から他の苗（又は他の種子から成長した苗）に開花の最盛期が推移しても、隣接して植えられた（又はまかれた種子から成長した）菊が鉢の土や土壌の表面を這うように広がることで苗同士の一体感が高まり、観賞者に苗毎の開花の推移を悟られにくく、隣接する這い性菊の開花の順次連続、いわば「開花のリレー」のようにして、開花期間を長期間維持し、観賞性を高めることができる。
【００１１】
また、本発明の這い性菊の鉢物は、複数種の這い性菊の苗又は種子から伸びる複数本の茎の高さが段階的に異なるように処理（摘芯）され、高さの高いものから低いものへ順次開花時期が遅くなるように設定できる。
【００１２】
また、本発明に関連する這い性菊の植栽方法は、複数種の這い性菊の苗又は種子から伸びる複数本の茎の高さが段階的に異なるように処理（摘芯）され、高さの高いものから低いものへ順次開花時期が遅くなるように設定されるとともに、開花期間が終った這い性菊の枝を除去し、又は茎を摘除してそれより下段に位置する開花期間中の這い性菊を露出させることが想定される。
【００１３】
このように開花時期の異なる複数の這い性菊の茎の高さに段差を生じさせて、上段のものほど開花時期が早く、下段のものほど開花時期が遅くなるように調整することによって、横へ広がる這い性菊の枝葉同士の干渉を緩和しつつ、順次這い性菊を開花させ、立体的にかつ相前後して長期的に這い性菊を観賞することができる。
【図面の簡単な説明】
【００１４】
【図１Ａ】本発明の這い性菊の鉢物の例１を示す平面模式図。
【図１Ｂ】図１Ａの這い性菊の間隔をあけた例１´を示す平面模式図。
【図２】図１Ａにおいて成長した這い性菊の鉢物のある期間の斜視模式図。
【図３】図１Ａにおいて成長した這い性菊の鉢物の別の期間の斜視模式図。
【図４Ａ】苗の開花時期及び開花期間の一例を示すチャート。
【図４Ｂ】開花期間が重複する図４Ａに対応するチャート。
【図５Ａ】這い性菊の鉢物の例２を示す平面模式図。
【図５Ｂ】図５Ａのものにもう１個の苗を加えて直線的な配置とした平面模式図。
【図６】這い性菊の鉢物の例３を示す平面模式図。
【図７】這い性菊の鉢物の例４を示す平面模式図。
【図８】這い性菊の鉢物の例５を示す平面模式図。
【図９】這い性菊の鉢物の例６を示す平面模式図。
【図１０】這い性菊の鉢物の例７を示す平面模式図。
【図１１Ａ】這い性菊の鉢物の例８を示す側面模式図。
【図１１Ｂ】図１１Ａにおいて成長した這い性菊の経過を示した側面模式図。
【図１２Ａ】這い性菊の鉢物の例９を示す側面模式図。
【図１２Ｂ】這い性菊の鉢物の例１０を示す側面模式図。
【図１３】這い性菊の鉢物の例１１を示す側面模式図。
【図１４Ａ】這い性菊の鉢物の例１２を示す側面模式図。
【図１４Ｂ】這い性菊の鉢物の例１３を示す側面模式図。
【図１５】本発明の這い性菊の植栽方法を示す概念図。
【図１６Ａ】本発明の這い性菊の植栽方法の例１を示す平面模式図。
【図１６Ｂ】這い性菊の植栽方法の例２を示す平面模式図。
【図１７】這い性菊の植栽方法の例３を示す平面模式図。
【図１８】這い性菊の植栽方法の例４を示す平面模式図。
【図１９】這い性菊の植栽方法の例５を示す平面模式図。
【発明を実施するための形態】
【００１５】
図１Ａ〜図３は、本発明の這い性菊の鉢物の１例である鉢物ＦＰ１、ＦＰ１´を示しており、図１Ａは、這い性菊の苗１〜３（単に這い性菊１〜３という場合もあり、また、成長後の這い性菊も１〜３で表わす）の配置を示す鉢Ｐ１の平面模式図である。鉢Ｐ１には、複数種（例えば３種）の這い性菊の苗１〜３（第１の這い性菊１、第２の這い性菊２、第３の這い性菊３）が隣接して植えられる。具体的には、図１Ａ、Ｂに示すように、鉢Ｐ１を平面から見て、鉢Ｐ１の概ね中心部の周りに周方向に隣接して等角度間隔に（厳密な意味では等角度間隔とは言い切れないが、説明上、幾何学的な概念としては、例えば三角形の３つの角を構成するようにほぼ均等に隔たった角度（例えば１２０度間隔±２０％以内等）で這い性菊の苗１〜３が植えられる。以下、鉢物Ｐ１の中心部に関して等角度間隔等と記載するとしても、実際の鉢物Ｐ１の苗が、人の手又は機械で植栽される際に、大体上記のような基準で配置されるといった程度の意味合いである。もちろん意図的に不等間隔で複数種の苗１〜３を植えても（又は保持しても）よい。図２及び図３に示すように、這い性菊は成長すると、鉢Ｐ１の土の表面を這うように茎が広がり花をつける。花の開花時期は、第１の這い性菊１の開花時期と第２の這い性菊２の開花時期と第３の這い性菊３の開花時期とに、少なくとも１週間以上の差（第１、第２、第３の這い性菊１、２、３の相互間における開花時期に１週間以上の差）があるとともに、各這い性菊１、２、３の開花の重複時期がそれぞれゼロ又は１ヶ月以内である。
【００１６】
図４Ａ、Ｂは、第１、第２、第３の這い性菊１、２、３の相互間における開花時期（一番花の開花）と開花期間（這い性菊が咲いている期間）の関係を示すチャートである。図４Ａの場合には、第１の這い性菊１の開花時期と第２の這い性菊２の「開花時期」に例えば２〜４週間、約１ヶ月内外の差があり、第２の這い性菊２の開花時期と第３の這い性菊３の開花時期との間にも約１ヶ月内外の差がある。更に、第１、第２、第３の這い性菊１、２、３において「開花期間」が概ね１ヶ月程度であり、開花期間の重複がなく、鉢物ＦＰ１全体として開花期間を長期にわたり維持できる。
【００１７】
また、図４Ｂの場合には、第１の這い性菊１の開花時期と第２の這い性菊２の開花時期に例えば１ヶ月内外の差があり、第２の這い性菊２の開花時期と第３の這い性菊３の開花時期との間にも例えば１ヶ月内外の差がある。更に、第１の這い性菊１の開花期間と第２の這い性菊２の開花期間に一定の重複があり、第２の這い性菊２の開花期間と第３の這い性菊３の開花期間にも一定の重複があり、第１の這い性菊１の開花期間と第３の這い性菊３の開花期間に重複がない。３種以上の這い性菊を用いる場合は、開花期間の重複を２種類の這い性菊のみによる開花期間の重複とすることで（３種類以上の這い性菊による開花期間の重複を避けることで）、鉢物ＦＰ１全体として開花の最盛期を長期間維持させることが可能となる。なお、第１の這い性菊１と第３の這い性菊３との間でも重複が生じるように開花時期が比較的接近した這い性菊１〜３を選択することもでき、その場合は、全体として開花期間は短くなるが、全体の開花面積を大きく見せることができる。
【００１８】
以上のように、３種の苗１〜３の開花時期が少なくとも１週間以上の差があり、開花の重複時期がゼロ又は１ヶ月以内であるため、全体として開花時期を長期間維持できる。また、３種の這い性菊１〜３を隣接して植えるので、ある苗から他の苗に開花の最盛期が推移しても、隣接して植えられた菊が鉢Ｐ１の土の表面を這うように成長して苗同士の一体感が高まり、這い性菊１〜３の全体としての開花状態を長期間維持して観賞性を高めることができる。
【００１９】
以上、３種の這い性菊１〜３の苗が隣接して植えられる鉢物ＦＰ１を説明したが、図５Ａに示すように、第１の這い性菊１と第２の這い性菊２との２種を隣接配置した簡便かつシンプルな鉢物ＦＰ２としてもよい。また、図５Ｂに示すように、これにもう１個苗又は種子を加えてこれら３個（又はそれ以上）を直線的に配置することもできる。また、図６に示すように、例えば４種（第１の這い性菊の苗１、第２の這い性菊の苗２、第３の這い性菊の苗３、第４の這い性菊の苗４）を鉢Ｐ１のほぼ中心の周りに環状に概ね等角度間隔に隣接して植える鉢物ＦＰ３でもよい。また、図示はしていないが５種以上でもよい。這い性菊の苗が増加するに従って這い性菊の茎の絡み合い強まり、鉢物の土の表面を這い性菊が満遍なく覆うことが可能となる。また、這い性菊の苗を複数種にする場合は、這い性菊の苗の相互間に、開花時期の差及び開花時期の重複期間を設定する（ゼロ以上）ことで、バリエーションに富んだ鉢物を提供できる。
【００２０】
図７は、例４の鉢物ＦＰ４を示し、その平面模式図において、所定の１以上の基準線０２に関して、周状に開花時期が異なる複数種（例えば３種）の這い性菊の苗１〜３が植えられる。具体的には、鉢Ｐ１を平面から見て、鉢Ｐ１の中心０１周りに等角度間隔で複数の基準線０２が配置され、各基準線０２に関して周状に開花時期が異なる複数種（例えば３種）の這い性菊の苗１〜３が同じ配列で植えられる。つまり、鉢Ｐ１の中心０１周りに例えば３種の這い性菊の苗１〜３のセット（第１の這い性菊１、第２の這い性菊２、第３の這い性菊３）が植えられるため、各基準線０２周りの開花順序が同じとなり、鉢物ＦＰ４全体において各種の這い性菊の開花、開花終了の境界を曖昧にできる。
【００２１】
図８は、例５の鉢物ＦＰ５を示し、その平面模式図において、鉢Ｐ１の中心部に関して周状に開花時期が異なる複数種の這い性菊の苗１〜３を植えた状態を示す。具体的には、鉢Ｐ１を平面から見て、鉢Ｐ１の中心０１周りに等角度間隔に複数種の這い性菊の苗１〜３を植える扇状の植え付け領域６が形成され、植え付け領域６の弧状の内周に沿って等間隔に複数種（例えば３種）の這い性菊の苗１〜３が、各植え付け領域６において、同じ配列で植えられる。つまり、鉢物ＦＰ５の内周に沿って同じパターンで複数種の這い性菊１〜３が植えられるので、鉢物ＦＰ５をいずれの側面から見ても開花、開花終了の境界を曖昧にできる。なお、図８の各植え付け領域６における這い性菊１〜３の配列の順序をランダムにしてもよい。
【００２２】
図９は、例６の鉢物ＦＰ６を示し、その平面模式図において、鉢Ｐ１にマトリックス状に開花時期が異なる複数種（例えば３種）の這い性菊１〜３が植えられた状態を示す。苗１〜３をマトリックス状に配列することで、複数種の這い性菊２の茎が互いによく絡み合い、鉢物１の土の表面を効果的に覆うことができる。また、図１０に示す例７の鉢物ＦＰ７のように、マトリックス状に這い性菊の苗１〜３を植える場合、苗１〜３の前後左右が自身の苗の種別と異なる苗の種別となるよう千鳥状に開花時期が異なる複数種の這い性菊の苗１〜３を植えることで、つまり、鉢物ＦＰ７全体に対して満遍なく開花時期の異なる複数種の這い性菊の苗１〜３を配列することで、這い性菊の開花を長期にわたり違和感なく観賞させることができる。
【００２３】
図１１Ａは、例８の鉢物ＦＰ８を示し、その側面模式図において、苗１〜３を植えた後に、伸びてきた茎の高さに段差が生じるように茎の上側部分を切除した状態を示し、図１１Ｂは、それを順番に開花させる状態を示している。具体的には、開花時期が早い苗１〜３ほど茎の高さを高くして複数種（例えば３種）の這い性菊の苗１〜３を隣接させたものである（第１の這い性菊１、第２の這い性菊２、第３の這い性菊３の順に開花時期が遅くなる）。この場合、図１１Ｂに示すように、鉢物ＦＰ８の上から下に向かって花が次第に開花（第１、第２、第３の這い性菊の順に開花）するため、開花時期が終った這い性菊の枝や茎を摘み取り（除去（摘芯）し）、下側の這い性菊を見やすくする（上側の開花が終った這い性菊により下側の開花している這い性菊が見えなくなることを防止する）。このように、這い性菊１〜３が上から順番に開花していく階段状の鉢物ＦＰ８であるため、全体の開花期間が立体的に長くなるように演出できる。
【００２４】
上記の説明では、同じ色の這い性菊について、開花時期の異なるものを隣接配置することを前提にした。複数種の這い性菊の花の色を同一色とする場合は、鉢物が全体で長期間開花しているかの印象を観賞者に与えることができる。一方、同色でなくても、色そのもの、色の濃淡、色の強度、花弁の一重、二重、三重等の花弁構造が互いに異なる又は一部異なる這い性菊同士であって、かつ前述のとおり開花時期が異なる複数種を隣接配置してもよい。例えば、図１２Ａに示す例９の鉢物ＦＰ９のように、複数の這い性菊の花の色を異系色に変えて混色にしてもよい。図１２Ｂに示すように、同色系でも開花時期が早い苗ほど花の色を薄く（又は濃く）することで、複数種の苗１〜３の組み合わせで時期的に変化するグラデーションを表現できる。なお、上記の鉢物ＦＰ９、ＦＰ１０における菊の配置は、例えば図５〜図１１に示した形態として、複数種の這い性菊を隣接配置してもよい。
【００２５】
また、例１１として、図１３に示すプランターＰ２を用いた鉢物ＦＰ１１、例１２として、図１４Ａに示す連結ポットＰ３を用いた鉢物ＦＰ１２としてもよい。この場合は、鉢Ｐ１の場合と同様に複数種の苗１〜３を隣接して配置できる。また、連結ポットＰ３の場合には、例１３として図１４Ｂに示す鉢物ＦＰ１３のように、ポット部に第１の這い性菊１、隣のポット部に第２の這い性菊２・・・というように各ポット部で隣接させて複数種の這い性菊を配置してもよい。
【００２６】
以上、複数種の這い性菊の苗が隣接して植えられる鉢物ＦＰ１〜ＦＰ１３を説明した。次に、図１５に示すように這い性菊の苗を土壌７に対し互いに隣接して植える植栽について説明する。この植栽方法（苗の植え方又は種のまき方）自体は、前述（図１〜図１４）の鉢物に対するものと同様であるが、主たる違いは、植栽の対象が鉢を有しない土壌７そのものとなる点であり、複数種の這い性菊の苗１〜３における開花時期、開花の重複期間は、鉢物における複数種の這い性菊の場合と同様に設定できる。
【００２７】
図１６Ａは、植栽例１の土壌７の平面模式図である。この這い性菊の植栽パターンＦＦ１は、土壌７を平面から見て、所定の領域にマトリックス状に複数種の這い性菊の苗１〜３を互いに隣接して植えたものである。具体的には、マトリックス状の這い性菊の苗１〜３の配列において、例えば縦の列には同種の這い性菊の苗１〜３を植え、かつ、横の行には複数種の這い性菊の苗１〜３が同じ規則性で植えられる。苗１〜３がマトリックス状に植えられるため、複数種の這い性菊の茎が互いによく絡み合い土壌７を効率よく覆うことができる。また、同種の這い性菊の苗１〜３が規則正しく植えられるため、這い性菊の最盛期の移り変わりが、規則的に表現されて観賞者にとって魅力的となる。一方、図１０の鉢物ＦＰ７のように、苗１〜３の前後左右が自身の苗１〜３の種別と異なる苗１〜３の種別となるように（又はランダムに）植えてもよい。また、図１６Ｂに示す植栽例２の植栽パターンＦＦ２のように、マトリックス状ではなく所定の曲線に沿って複数種の這い性菊１〜３を隣接して配置してもよい。
【００２８】
図１７は、植栽例３の土壌７の平面模式図である。この植栽パターンＦＦ３において、土壌７の所定の中心部に関して周状に開花時期が異なる複数種の這い性菊の苗１〜３を植えたものである。具体的には、土壌７のある点を中心０１としてその周りに等角度（又は不等角度）間隔で円状（又は所定の環状）に同種の這い性菊の苗１〜３を植え、かつ、中心０１を同心とする複数の同心円の半径が増加するに連れて中心０１周りの角度間隔（苗を植える角度間隔）を狭めるとともに各同心円状に植える苗１〜３の種別を規則的に変化させる。このように、円状に同種の苗１〜３が植えられることで、土壌７の一箇所に同種の這い性菊の苗１〜３が密集するのを防止できる。また、中心０１を同心とする同心円の半径が増加するに連れて這い性菊の苗１〜３数が増えるので苗１〜３の植栽面積が増加しても這い性菊３の茎により土壌の表面を覆うことができる。
【００２９】
図１８は、植栽例４の土壌７の平面模式図である。この植栽パターンＦＦ４において、所定の１以上の基準線０２に関して周状に開花時期が異なる複数種の這い性菊の苗１〜３が植えた状態を示す（換言すれば、複数種（例えば３種）の這い性菊１〜３が１塊（１セット）で植栽される）。具体的には、土壌７を平面から見て開花時期が異なる複数種の這い性菊の苗１〜３を１セットとして、これらのセットがマトリックス状に所定の間隔で植えられる。よって、各基準線０２周りの開花順序が同じとなり、土壌７全体において各種の這い性菊の開花、開花終了の境界を曖昧にできる。
【００３０】
図１９は植栽例５の土壌７の平面模式図である。この植栽パターンＦＦ５は、土壌７の所定の中心部に関して、周状に開花時期が異なる複数種の這い性菊の苗１〜３をセットで植えたものである。具体的には、土壌７の中心０１周りに開花時期が異なる複数種の苗１〜３のセット（例えば、第１の這い性菊１、第２の這い性菊２、第３の這い性菊３のセット）を植え、かつ、中心０１を同心とする複数の同心円の半径が増加するに連れて中心０１周りの角度間隔（苗１〜３のセットを植える角度間隔）を狭める。よって、土壌７の中心０１周りに這い性菊の苗１〜３のセットが植えられるため、複数種の這い性菊１〜３の開花、開花終了の境界を曖昧にできる。
【００３１】
上記の説明では、這い性菊の苗１〜３として、鉢物及び這い性菊の植栽方法を説明したが、苗に代えて這い性菊の種子でも同様に適用できるし、這い性菊の苗と種子の両方を用いてもよい。また、主として３種の苗１〜３を例示的に説明したが、４種、５種又はそれ以上の開花時期の異なる苗（又は種子）を組み合わせる場合には、例えば、図１〜図１９において第４、第５、第６・・・の這い性菊の苗（又は種子）を追加して隣接配置すればよい。
【００３２】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００３３】
ＦＰ１〜１３  這い性菊の鉢物    １〜３  這い性菊の苗
Ｐ１          鉢                Ｐ２    プランター
Ｐ３          連結ポット
【図１Ａ】
0005683534.tif 000002
【図１Ｂ】
0005683534.tif 000003
【図２】
0005683534.tif 000004
【図３】
0005683534.tif 000005
【図４Ａ】
0005683534.tif 000006
【図４Ｂ】
0005683534.tif 000007
【図５Ａ】
0005683534.tif 000008
【図５Ｂ】
0005683534.tif 000009
【図６】
0005683534.tif 000010
【図７】
0005683534.tif 000011
【図８】
0005683534.tif 000012
【図９】
0005683534.tif 000013
【図１０】
0005683534.tif 000014
【図１１Ａ】
0005683534.tif 000015
【図１１Ｂ】
0005683534.tif 000016
【図１２Ａ】
0005683534.tif 000017
【図１２Ｂ】
0005683534.tif 000018
【図１３】
0005683534.tif 000019
【図１４Ａ】
0005683534.tif 000020
【図１４Ｂ】
0005683534.tif 000021
【図１５】
0005683534.tif 000022
【図１６Ａ】
0005683534.tif 000023
【図１６Ｂ】
0005683534.tif 000024
【図１７】
0005683534.tif 000025
【図１８】
0005683534.tif 000026
【図１９】
0005683534.tif 000027